(57)【要約】【課題】様々な使用者にとって好適な持ちやすい把持部を持つマッサージ機のリモコン装置を提供すること。【解決手段】操作スイッチＳ１〜Ｓ４が設けられた本体ケース１１を有するマッサージ機のリモートコントロール装置であって、本体ケース１１の両側面の凹部１２，１３に変形可能部材１４，１５を設けた。【選択図】　図２
2004135845.tif 000002
【特許請求の範囲】
【請求項１】
操作スイッチが設けられた本体ケースを有するマッサージ機のリモートコントロール装置であって、
前記本体ケースの把持部に変形可能部材を設けたことを特徴とするマッサージ機のリモートコントロール装置。
【請求項２】
前記変形可能部材が形状記憶合金で形成されていることを特徴とする請求項１に記載のマッサージ機のリモートコントロール装置。
【発明の詳細な説明】
【０００１】
【発明が属する技術分野】
この発明は椅子式またはマット式等のマッサージ機のリモートコントロール装置に関するものである。
【０００２】
【従来の技術】
従来から、図６に示すマッサージ機のリモートコントロール装置１が知られている。（例えば、特許文献１参照）このリモートコントロール装置１は、本体ケース２と、この本体ケース２に設けた複数の操作スイッチ２Ａ等とを有している。マッサージ機は、リモートコントロール装置１の操作スイッチ２Ａを操作すると、マッサージ機本体に設けられた例えば複数のエアバックが順番に膨縮されたりすることによりマッサージを行っていく。
【０００３】
【特許文献１】
特開２００２−２２９９６５号公報（第４、５頁、図３）
【０００４】
【発明が解決しようとする課題】
ところで、リモートコントロール１の本体ケース２は内蔵した電子部品等を保護するために所定の強度を有する硬質の樹脂製であり、握っても変形しないようになっている。このため、手の大きさや握り癖によっては本体ケース２を握った際にフィット感がなかったり、持ちづらかったりする場合があった。
【０００５】
この発明の目的は、手の大きさや握り癖に拘わらず、フィット感を得ることができるとともに持ち易くなるマッサージ機のリモートコントロール装置を提供することにある。
【０００６】
【課題を解決するための手段】
請求項１の発明は、操作スイッチが設けられた本体ケースを有するマッサージ機のリモートコントロール装置であって、
前記本体ケースの把持部に変形可能部材を設けたことを特徴とする。
【０００７】
【発明の実施の形態】
以下、この発明の実施の形態について図面を参照しつつ説明する。
【０００８】
図１において、１は椅子式のマッサージ機であり、このマッサージ機１は座部２に設けた複数のエアバック（図示せず）と、背凭れ部３に設けた複数のエアバック（図示せず）と、各エアバックを膨縮させる給排気装置４と、各操作を行うリモートコントロール装置１０等を備えている。
【０００９】
リモートコントロール装置１０は図２に示すように樹脂製の本体ケース１１を有している。この本体ケース１１の操作面１１Ａには、電源用のオン／オフスイッチＳ１と、各種のマッサージモードを設定するモード設定スイッチＳ２と、マッサージの強弱を設定する強弱スイッチＳ３と、タイマを設定するタイマスイッチＳ４等とが設けられている。
【００１０】
また、本体ケース１１の両側面には凹部１２，１３が形成され、この凹部１２，１３には変形可能部材１４，１５が設けられている。この変形可能部材１４，１５は形状記憶合金からなるワイヤを網状に形成したワイヤフレームから構成されている。
【００１１】
この変形可能部材１４，１５は図３（Ａ）に示すように、使用者が所定の力で握ると、その手Ｈの握り癖や手の大きさに応じて変形するようになている。そして、そのリモートコントロール装置１０から手を離しても図３（Ｂ）に示すように変形可能部材１４，１５の変形が保持される。すなわち、変形可能部材１４，１５を使用者の手にフィットするカストマイズされた握り形状に変形させることができる。このため、使用者が再度リモートコントロール装置１０を持つときにその変形形状が保持されていることにより、握り癖や手の大きさに拘わりなく使用者の手に合った状態で握ることができる。すなわち、手の大きさや握り癖に拘わらず、フィット感を得ることができるとともにリモートコントロール装置１０は持ち易いものとなる。
【００１２】
変形可能部材１４，１５は、形状記憶合金の特性により例えばドライヤ等で加熱することによりリセットすることができる。すなわち、図３（Ｂ）に示す形状から図２に示す元の形状に戻すことができる。このため、一度変形させた場合であっても、他の使用者が専用に使用する場合には、他の使用者の握り具合に再度変形させることができ、このため他の使用者に不便を来してしまうとがない。
【００１３】
図４は第２実施形態のリモートコントロール装置２０を示したものである。この第２実施形態のリモートコントロール装置２０は、本体ケース１１の凹部１２，１３に面ファスナー１６，１７を貼り付け、ワイヤーフレームから構成された変形可能部材２４，２５の内側となる側面に面ファスナー１８，１９を貼り付けて、本体ケース１１の凹部１２，１３に変形可能部材２４，２５を着脱自在に取り付けるようにしたものである。
【００１４】
この第２実施形態によれば、一対の変形可能部材２４，２５を複数用意するとともに各使用者毎に対応して変形可能部材２４，２５を手の握り状態に応じて変形させておけば、その使用者が使用する変形可能部材２４，２５に取り替えることができる。このため、変形可能部材２４，２５をドライヤ等で加熱して元の形状に戻す必要がなく、変形可能部材２４，２５を形状記憶合金で構成する必要もない。
【００１５】
第１，第２実施形態の変形可能部材１４，１５，２４，２５はワイヤフレームで構成されているが、これに限るものではなく、例えば変形可能な薄い金属板等で中空体を構成し、中に柔らかい材質のものを充填したものでもよい。
【００１６】
図５は第３実施形態のリモートコントロール装置３０を示したものである。この第２実施形態のリモートコントロール装置３０は、本体ケース１１の凹部１２，１３にウレタンフォームからなる変形可能部材２１，２２を設けたものである。
【００１７】
この第３実施形態のリモートコントロール装置３０によれば、変形可能部材２１，２２をウレタンフォームで構成したので安価なリモートコントロール装置３０を提供することができる。また、変形可能部材２１，２２は、ウレタンフォームであることにより弱い力で変形する。このため、握力の弱い人が変形可能部材２１，２２を握った場合でも、変形可能部材２１，２２がその握り状態に応じて変形するのでフィット感を得ることができ、リモートコントロール装置３０は握り易いものとなる。
【００１８】
また、変形可能部材２１，２２を低反発ウレタンで構成してもよい。この場合、さらに弱い力でも変形可能部材２１，２２が変形するので、握力の弱い人であってもさらにフィット感を得ることができ、リモートコントロール装置３０は非常に持ち易いものとなる。
【００１９】
【発明の効果】
以上説明したように、この発明によれば、手の大きさや握り癖に拘わらず、フィット感を得ることができるとともにリモートコントロール装置は持ち易いものとなる。
【図面の簡単な説明】
【図１】この発明に係るマッサージ機を示した斜視図である。
【図２】リモートコントロール装置の外観を示した斜視図である。
【図３】（Ａ）図２に示すリモートコントール装置を握った状態を示した説明図である。
（Ｂ）リモートコントール装置の変形可能部材が変形した状態を示した説明図である。
【図４】第２実施形態のリモートコントロール装置を示した説明図である。
【図５】第３実施形態のリモートコントロール装置を示した説明図である。
【図６】従来のリモートコントロール装置を示した説明図である。
【符号の説明】
１０　　　　　　リモートコントロール装置
１１　　　　　　本体ケース
Ｓ１〜Ｓ４　　　操作スイッチ
１４，１５　　　　　変形可能部材
１６，１７　　　　　面ファスナ
２１，２２　　　　　ウレタンフォーム
【図１】
2004135845.tif 000003
【図２】
2004135845.tif 000004
【図３】
2004135845.tif 000005
【図４】
2004135845.tif 000006
【図５】
2004135845.tif 000007
【図６】
2004135845.tif 000008